(57)【要約】【課題】  効率良く撮像画像を取得し、該取得した撮像画像を表示する映像表示システムを提供する。【解決手段】  画像を撮像し、撮像画像を形成するカメラ（１０）と、カメラ（１０）において形成した撮像画像をネットワーク（３０）上に出力するエンコーダ（２０）と、エンコーダ（２０）から出力された撮像画像を表示する視聴者端末（４０）と、を有し、視聴者端末（４０）は、撮像画像の取得を容認するか否かを判断し、撮像画像の取得を容認すると判断した際に、エンコーダ（２０）から撮像画像を取得し、その取得した撮像画像を視聴者端末（４０）の具備する表示部上に表示する。【選択図】  図１
2006345227.tif 000002
【特許請求の範囲】
【請求項１】
少なくとも１つの通信装置から撮像画像を取得し、該取得した撮像画像を表示する映像表示装置であって、
前記撮像画像の取得を容認するか否かを判断する画像取得容認可否判断手段と、
前記画像取得容認可否判断手段により前記撮像画像の取得を容認すると判断した際に、前記通信装置から撮像画像を取得する撮像画像取得手段と、
前記撮像画像取得手段により取得した撮像画像を表示する撮像画像表示手段と、
を有することを特徴とする映像表示装置。
【請求項２】
前記撮像画像取得手段は、
前記撮像画像を取得する通信装置を選択する撮像画像選択手段を有し、
前記撮像画像選択手段により選択された通信装置から前記撮像画像を取得することを特徴とする請求項１記載の映像表示装置。
【請求項３】
前記画像取得容認可否判断手段は、
前記映像表示装置に入力された認証情報が、前記撮像画像の取得を容認すると判断するための認証情報と、一致すると判断した場合に、前記撮像画像の取得を容認することを特徴とする請求項１記載の映像表示装置。
【請求項４】
前記撮像画像表示手段に表示した撮像画像を記録する撮像画像記録手段と、
前記撮像画像記録手段により記録した撮像画像を表示する記録画像表示手段と、
前記撮像画像記録手段により記録した撮像画像の表示を容認するか否かを判断する撮像画像表示容認可否判断手段と、
を有し、
前記記録画像表示手段は、
前記撮像画像表示容認可否判断手段により前記撮像画像の表示を容認すると判断した際に、前記撮像画像を表示することを特徴とする請求項１記載の映像表示装置。
【請求項５】
前記画像取得容認可否判断手段により前記撮像画像の取得を容認すると判断する容認回数と、前記撮像画像表示容認可否判断手段により前記撮像画像の表示を容認すると判断する容認回数と、の少なくとも１つの容認回数を制限する容認回数制限手段を有することを特徴とする請求項４記載の映像表示装置。
【請求項６】
前記通信装置は、エンコーダであり、
前記撮像画像選択手段は、前記エンコーダのＩＰアドレスを選択することで、該選択したＩＰアドレスのエンコーダから前記撮像画像を取得することを特徴とする請求項２記載の映像表示装置。
【請求項７】
前記通信装置は、エンコーダと接続されたマルチキャストルータであり、
前記撮像画像選択手段は、前記エンコーダのＩＰアドレスを選択することで、前記マルチキャストルータにＪＯＩＮメッセージを送信し、該選択したＩＰアドレスのエンコーダから前記撮像画像を取得することを特徴とする請求項２記載の映像表示装置。
【請求項８】
前記撮像画像には音声情報も含まれることを特徴とする請求項１記載の映像表示装置。
【請求項９】
画像を撮像し、撮像画像を形成する少なくとも１つの撮像装置と、前記撮像装置において形成した撮像画像を表示する少なくとも１つの映像表示装置と、を有して構成される映像表示システムであって、
前記映像表示装置は、
前記撮像画像の取得を容認するか否かを判断する画像取得容認可否判断手段と、
前記画像取得容認可否判断手段により前記撮像画像の取得を容認すると判断した際に、前記撮像画像を取得する撮像画像取得手段と、
前記撮像画像取得手段により取得した撮像画像を表示する撮像画像表示手段と、
を有することを特徴とする映像表示システム。
【請求項１０】
前記撮像装置が形成した撮像画像を取得する第１のマルチキャストルータと、
前記第１のマルチキャストルータが取得した撮像画像を取得する第２のマルチキャストルータと、を有し、
前記映像表示装置は、
前記画像取得容認可否判断手段により前記撮像画像の取得を容認すると判断した際に、前記第２のマルチキャストルータから前記撮像画像を取得することを特徴とする請求項９記載の映像表示システム。
【請求項１１】
前記撮像装置が形成した撮像画像を多重化する多重化装置を有し、
前記映像表示装置は、
前記画像取得容認可否判断手段により前記撮像画像の取得を容認すると判断した際に、前記多重化装置により多重化された撮像画像を取得することを特徴とする請求項９記載の映像表示システム。
【請求項１２】
前記撮像装置は、音声情報を取得する音声手段を有し、
前記音声手段により取得した音声情報を含む撮像画像を形成することを特徴とする請求項９から１１の何れか１項に記載の映像表示システム。
【請求項１３】
前記撮像装置と、前記音声手段と、は分離独立して構成されることを特徴とする請求項１２記載の映像表示システム。
【請求項１４】
前記撮像画像を選択する撮像画像選択手段を有し、
前記撮像画像取得手段は、
前記撮像画像選択手段により選択された撮像画像を取得することを特徴とする請求項９記載の映像表示システム。
【請求項１５】
前記映像表示装置は、
前記映像表示装置に入力された認証情報が、前記撮像画像の取得を容認すると判断するための認証情報と、一致すると判断した場合に、前記撮像画像の取得を容認することを特徴とする請求項９記載の映像表示システム。
【請求項１６】
前記映像表示装置は、
前記撮像画像表示手段に表示した撮像画像を記録する撮像画像記録手段と、
前記撮像画像記録手段により記録した撮像画像を表示する記録画像表示手段と、
前記撮像画像記録手段により記録した撮像画像の表示を容認するか否かを判断する撮像画像表示容認可否判断手段と、
を有し、
前記記録画像表示手段は、
前記撮像画像表示容認可否判断手段により前記撮像画像の表示を容認すると判断した際に、前記撮像画像を表示することを特徴とする請求項９記載の映像表示システム。
【請求項１７】
前記映像表示装置は、
前記画像取得容認可否判断手段により前記撮像画像の取得を容認すると判断する容認回数と、前記撮像画像表示容認可否判断手段により前記撮像画像の表示を容認すると判断する容認回数と、の少なくとも１つの容認回数を制限する容認回数制限手段を有することを特徴とする請求項１６記載の映像表示システム。
【請求項１８】
少なくとも１つの通信装置から撮像画像を取得し、該取得した撮像画像を表示する映像表示装置が行う映像表示方法であって、
前記撮像画像の取得を容認するか否かを判断する画像取得容認可否判断工程と、
前記画像取得容認可否判断工程により前記撮像画像の取得を容認すると判断した際に、前記通信装置から撮像画像を取得する撮像画像取得工程と、
前記撮像画像取得工程により取得した撮像画像を前記映像表示装置の具備する表示部に表示する撮像画像表示工程と、
を、前記映像表示装置が行うことを特徴とする映像表示方法。
【請求項１９】
前記撮像画像取得工程は、
前記撮像画像を取得する通信装置を選択する撮像画像選択工程を有し、
前記撮像画像選択工程により選択された通信装置から前記撮像画像を取得することを特徴とする請求項１８記載の映像表示方法。
【請求項２０】
前記画像取得容認可否判断工程は、
前記映像表示装置に入力された認証情報が、前記撮像画像の取得を容認すると判断するための認証情報と、一致すると判断した場合に、前記撮像画像の取得を容認することを特徴とする請求項１８記載の映像表示方法。
【請求項２１】
前記撮像画像表示工程により前記表示部に表示した撮像画像を、前記映像表示装置の具備する記憶部に記録する撮像画像記録工程と、
前記撮像画像記録工程により前記記憶部に記録した撮像画像を、前記映像表示装置の具備する表示部に表示する記録画像表示工程と、
前記撮像画像記録工程により前記記憶部に記録した撮像画像の前記表示部への表示を容認するか否かを判断する撮像画像表示容認可否判断工程と、
を、前記映像表示装置が行い、
前記記録画像表示工程は、
前記撮像画像表示容認可否判断工程により前記撮像画像の表示を容認すると判断した際に、前記撮像画像を前記表示部に表示することを特徴とする請求項１８記載の映像表示方法。
【請求項２２】
前記画像取得容認可否判断工程により前記撮像画像の取得を容認すると判断する容認回数と、前記撮像画像表示容認可否判断工程により前記撮像画像の表示を容認すると判断する容認回数と、の少なくとも１つの容認回数を制限する容認回数制限工程を、前記映像表示装置が行うことを特徴とする請求項２１記載の映像表示方法。
【請求項２３】
前記通信装置は、エンコーダであり、
前記撮像画像選択工程は、前記エンコーダのＩＰアドレスを選択することで、該選択したＩＰアドレスのエンコーダから前記撮像画像を取得することを特徴とする請求項１９記載の映像表示方法。
【請求項２４】
前記通信装置は、エンコーダと接続されたマルチキャストルータであり、
前記撮像画像選択工程は、前記エンコーダのＩＰアドレスを選択することで、前記マルチキャストルータにＪＯＩＮメッセージを送信し、該選択したＩＰアドレスのエンコーダから前記撮像画像を取得することを特徴とする請求項１９記載の映像表示方法。
【請求項２５】
前記撮像画像には音声情報も含まれることを特徴とする請求項１８記載の映像表示方法。
【請求項２６】
少なくとも１つの通信装置から撮像画像を取得し、該取得した撮像画像を表示する映像表示装置において実行する映像表示プログラムであって、
前記撮像画像の取得を容認するか否かを判断する画像取得容認可否判断処理と、
前記画像取得容認可否判断処理により前記撮像画像の取得を容認すると判断した際に、前記通信装置から撮像画像を取得する撮像画像取得処理と、
前記撮像画像取得処理により取得した撮像画像を前記映像表示装置の具備する表示部に表示する撮像画像表示処理と、
を、前記映像表示装置に実行させることを特徴とする映像表示プログラム。
【請求項２７】
前記撮像画像を取得する通信装置を選択する撮像画像選択処理を、前記映像表示装置に実行させ、
前記撮像画像取得処理は、
前記撮像画像選択処理により選択された通信装置から前記撮像画像を取得することを特徴とする請求項２６記載の映像表示プログラム。
【請求項２８】
前記画像取得容認可否判断処理は、
前記映像表示装置に入力された認証情報が、前記撮像画像の取得を容認すると判断するための認証情報と、一致すると判断した場合に、前記撮像画像の取得を容認することを特徴とする請求項２６記載の映像表示プログラム。
【請求項２９】
前記撮像画像表示処理により前記表示部に表示した撮像画像を、前記映像表示装置の具備する記憶部に記録する撮像画像記録処理と、
前記撮像画像記録処理により前記記憶部に記録した撮像画像を、前記映像表示装置の具備する表示部に表示する記録画像表示処理と、
前記撮像画像記録処理により前記記憶部に記録した撮像画像の前記表示部への表示を容認するか否かを判断する撮像画像表示容認可否判断処理と、
を、前記映像表示装置に実行させ、
前記記録画像表示処理は、
前記撮像画像表示容認可否判断処理により前記撮像画像の表示を容認すると判断した際に、前記撮像画像を前記表示部に表示することを特徴とする請求項２６記載の映像表示プログラム。
【請求項３０】
前記画像取得容認可否判断処理により前記撮像画像の取得を容認すると判断する容認回数と、前記撮像画像表示容認可否判断処理により前記撮像画像の表示を容認すると判断する容認回数と、の少なくとも１つの容認回数を制限する容認回数制限処理を、前記映像表示装置に実行させることを特徴とする請求項２９記載の映像表示プログラム。
【請求項３１】
前記通信装置は、エンコーダであり、
前記撮像画像選択処理は、前記エンコーダのＩＰアドレスを選択することで、該選択したＩＰアドレスのエンコーダから前記撮像画像を取得することを特徴とする請求項２７記載の映像表示プログラム。
【請求項３２】
前記通信装置は、エンコーダと接続されたマルチキャストルータであり、
前記撮像画像選択処理は、前記エンコーダのＩＰアドレスを選択することで、前記マルチキャストルータにＪＯＩＮメッセージを送信し、該選択したＩＰアドレスのエンコーダから前記撮像画像を取得することを特徴とする請求項２７記載の映像表示プログラム。
【請求項３３】
前記撮像画像には音声情報も含まれることを特徴とする請求項２６記載の映像表示プログラム。
【発明の詳細な説明】
【技術分野】
【０００１】
本発明は、特定領域において撮像した撮像画像を表示する映像表示装置、映像表示システム、映像表示方法及び映像表示プログラムに関するものである。
【背景技術】
【０００２】
従来、野球場やサッカー場などの特定領域において撮像した撮像画像は、その特定領域に設置された大型のスクリーン画面上に表示したり、あるいは、テレビ放送中継によりテレビ端末上に表示したりすることで、撮像画像を視聴者に提供していた。しかしながら、近年のアクセス回線のブロードバンド化に伴い、特定領域において撮像した撮像画像の更なる提供サービスの進展が期待されている。
【０００３】
例えば、電話線などのメタリックケーブルで、数Ｍビット／秒の高速データ伝送を可能とするｘＤＳＬ（ｘ  Digital  Subscriber  Line）（ｘは、Ａ、Ｓ、Ｖ等の総称）、ＦＴＴｘ（Fiber  To  The  ｘ）（ｘは、Ｂ、Ｃ、Ｃａｂ、Ｈ等の総称）、広域ＬＡＮサービス技術に注目が集まっており、中でも、注目を集めているのが、ＡＤＳＬ（Asymmetric  Digital  Subscriber  Line）である。このＡＤＳＬは、上り方向と下り方向とで伝送速度が異なっており、この非対称性がインターネットのアクセスに適している。この、ＡＤＳＬ、ＦＴＴＨ（Fiber  To  The  Home）、広域ＬＡＮサービスの普及により、アクセス回線のブロードバンド化が急速に進展しているのである。
【０００４】
なお、本発明より先に出願された技術文献として、放送サイドで視聴者へのコンテンツ提示方法、利用条件、暗号化状態でのコンテンツ蓄積、端末に対する限定受信、個人に対する限定受信等を定義し、定義した内容をコンテンツと共に受信側に配信し、これらの定義に基づき視聴者の視聴制御、蓄積制御、コピー制御、暗号／復号制御などを行うことで著作権等のコンテンツの権利保護を可能としたデータ配信方法が開示された文献がある（例えば、特許文献１参照）。
【特許文献１】特開２００２−２４７０２４号公報
【発明の開示】
【発明が解決しようとする課題】
【０００５】
なお、上記特許文献１は、限定受信等を定義した内容をコンテンツと共に受信側に配信し、これらの定義に基づき受信側において視聴者の視聴制御を行うものであり、受信側がコンテンツを受信した際に、該受信したコンテンツをもとに所定の視聴制御を行うことになり、コンテンツを受信した後の処理に時間が掛かることになる。このため、効率良くコンテンツを取得することが困難となる。
【０００６】
本発明は上記事情に鑑みてなされたものであり、効率良く撮像画像を取得し、該取得した撮像画像を表示する映像表示装置、映像表示システム、映像表示方法及び映像表示プログラムを提供することを目的とするものである。
【課題を解決するための手段】
【０００７】
かかる目的を達成するために、本発明は以下の特徴を有することとする。
【０００８】
本発明にかかる映像表示装置は、少なくとも１つの通信装置から撮像画像を取得し、該取得した撮像画像を表示する映像表示装置であって、撮像画像の取得を容認するか否かを判断する画像取得容認可否判断手段と、画像取得容認可否判断手段により撮像画像の取得を容認すると判断した際に、通信装置から撮像画像を取得する撮像画像取得手段と、撮像画像取得手段により取得した撮像画像を表示する撮像画像表示手段と、を有することを特徴とするものである。
【０００９】
また、本発明にかかる映像表示装置において、撮像画像取得手段は、撮像画像を取得する通信装置を選択する撮像画像選択手段を有し、撮像画像選択手段により選択された通信装置から撮像画像を取得することを特徴とするものである。
【００１０】
また、本発明にかかる映像表示装置において、画像取得容認可否判断手段は、映像表示装置に入力された認証情報が、撮像画像の取得を容認すると判断するための認証情報と、一致すると判断した場合に、撮像画像の取得を容認することを特徴とするものである。
【００１１】
また、本発明にかかる映像表示装置は、撮像画像表示手段に表示した撮像画像を記録する撮像画像記録手段と、撮像画像記録手段により記録した撮像画像を表示する記録画像表示手段と、撮像画像記録手段により記録した撮像画像の表示を容認するか否かを判断する撮像画像表示容認可否判断手段と、を有し、記録画像表示手段は、撮像画像表示容認可否判断手段により撮像画像の表示を容認すると判断した際に、撮像画像を表示することを特徴とするものである。
【００１２】
また、本発明にかかる映像表示装置は、画像取得容認可否判断手段により撮像画像の取得を容認すると判断する容認回数と、撮像画像表示容認可否判断手段により撮像画像の表示を容認すると判断する容認回数と、の少なくとも１つの容認回数を制限する容認回数制限手段を有することを特徴とするものである。
【００１３】
また、本発明にかかる映像表示装置において、通信装置は、エンコーダであり、撮像画像選択手段は、エンコーダのＩＰアドレスを選択することで、該選択したＩＰアドレスのエンコーダから撮像画像を取得することを特徴とするものである。
【００１４】
また、本発明にかかる映像表示装置において、通信装置は、エンコーダと接続されたマルチキャストルータであり、撮像画像選択手段は、エンコーダのＩＰアドレスを選択することで、マルチキャストルータにＪＯＩＮメッセージを送信し、該選択したＩＰアドレスのエンコーダから撮像画像を取得することを特徴とするものである。
【００１５】
また、本発明にかかる映像表示装置において、撮像画像には音声情報も含まれることを特徴とするものである。
【００１６】
また、本発明にかかる映像表示システムは、画像を撮像し、撮像画像を形成する少なくとも１つの撮像装置と、撮像装置において形成した撮像画像を表示する少なくとも１つの映像表示装置と、を有して構成される映像表示システムであって、映像表示装置は、撮像画像の取得を容認するか否かを判断する画像取得容認可否判断手段と、画像取得容認可否判断手段により撮像画像の取得を容認すると判断した際に、撮像画像を取得する撮像画像取得手段と、撮像画像取得手段により取得した撮像画像を表示する撮像画像表示手段と、を有することを特徴とするものである。
【００１７】
また、本発明にかかる映像表示システムは、撮像装置が形成した撮像画像を取得する第１のマルチキャストルータと、第１のマルチキャストルータが取得した撮像画像を取得する第２のマルチキャストルータと、を有し、映像表示装置は、画像取得容認可否判断手段により撮像画像の取得を容認すると判断した際に、第２のマルチキャストルータから撮像画像を取得することを特徴とするものである。
【００１８】
また、本発明にかかる映像表示システムは、撮像装置が形成した撮像画像を多重化する多重化装置を有し、映像表示装置は、画像取得容認可否判断手段により撮像画像の取得を容認すると判断した際に、多重化装置により多重化された撮像画像を取得することを特徴とするものである。
【００１９】
また、本発明にかかる映像表示システムにおいて、撮像装置は、音声情報を取得する音声手段を有し、音声手段により取得した音声情報を含む撮像画像を形成することを特徴とするものである。
【００２０】
また、本発明にかかる映像表示システムにおいて、撮像装置と、音声手段と、は分離独立して構成されることを特徴とするものである。
【００２１】
また、本発明にかかる映像表示システムは、撮像画像を選択する撮像画像選択手段を有し、撮像画像取得手段は、撮像画像選択手段により選択された撮像画像を取得することを特徴とするものである。
【００２２】
また、本発明にかかる映像表示システムにおいて、映像表示装置は、映像表示装置に入力された認証情報が、撮像画像の取得を容認すると判断するための認証情報と、一致すると判断した場合に、撮像画像の取得を容認することを特徴とするものである。
【００２３】
また、本発明にかかる映像表示システムにおいて、映像表示装置は、撮像画像表示手段に表示した撮像画像を記録する撮像画像記録手段と、撮像画像記録手段により記録した撮像画像を表示する記録画像表示手段と、撮像画像記録手段により記録した撮像画像の表示を容認するか否かを判断する撮像画像表示容認可否判断手段と、を有し、記録画像表示手段は、撮像画像表示容認可否判断手段により撮像画像の表示を容認すると判断した際に、撮像画像を表示することを特徴とするものである。
【００２４】
また、本発明にかかる映像表示システムにおいて、映像表示装置は、画像取得容認可否判断手段により撮像画像の取得を容認すると判断する容認回数と、撮像画像表示容認可否判断手段により撮像画像の表示を容認すると判断する容認回数と、の少なくとも１つの容認回数を制限する容認回数制限手段を有することを特徴とするものである。
【００２５】
また、本発明にかかる映像表示方法は、少なくとも１つの通信装置から撮像画像を取得し、該取得した撮像画像を表示する映像表示装置が行う映像表示方法であって、撮像画像の取得を容認するか否かを判断する画像取得容認可否判断工程と、画像取得容認可否判断工程により撮像画像の取得を容認すると判断した際に、通信装置から撮像画像を取得する撮像画像取得工程と、撮像画像取得工程により取得した撮像画像を映像表示装置の具備する表示部に表示する撮像画像表示工程と、を、映像表示装置が行うことを特徴とするものである。
【００２６】
また、本発明にかかる映像表示方法において、撮像画像取得工程は、撮像画像を取得する通信装置を選択する撮像画像選択工程を有し、撮像画像選択工程により選択された通信装置から撮像画像を取得することを特徴とするものである。
【００２７】
また、本発明にかかる映像表示方法において、画像取得容認可否判断工程は、映像表示装置に入力された認証情報が、撮像画像の取得を容認すると判断するための認証情報と、一致すると判断した場合に、撮像画像の取得を容認することを特徴とするものである。
【００２８】
また、本発明にかかる映像表示方法は、撮像画像表示工程により表示部に表示した撮像画像を、映像表示装置の具備する記憶部に記録する撮像画像記録工程と、撮像画像記録工程により記憶部に記録した撮像画像を、映像表示装置の具備する表示部に表示する記録画像表示工程と、撮像画像記録工程により記憶部に記録した撮像画像の表示部への表示を容認するか否かを判断する撮像画像表示容認可否判断工程と、を、映像表示装置が行い、記録画像表示工程は、撮像画像表示容認可否判断工程により撮像画像の表示を容認すると判断した際に、撮像画像を表示部に表示することを特徴とするものである。
【００２９】
また、本発明にかかる映像表示方法は、画像取得容認可否判断工程により撮像画像の取得を容認すると判断する容認回数と、撮像画像表示容認可否判断工程により撮像画像の表示を容認すると判断する容認回数と、の少なくとも１つの容認回数を制限する容認回数制限工程を、映像表示装置が行うことを特徴とするものである。
【００３０】
また、本発明にかかる映像表示方法において、通信装置は、エンコーダであり、撮像画像選択工程は、エンコーダのＩＰアドレスを選択することで、該選択したＩＰアドレスのエンコーダから撮像画像を取得することを特徴とするものである。
【００３１】
また、本発明にかかる映像表示方法において、通信装置は、エンコーダと接続されたマルチキャストルータであり、撮像画像選択工程は、エンコーダのＩＰアドレスを選択することで、マルチキャストルータにＪＯＩＮメッセージを送信し、該選択したＩＰアドレスのエンコーダから撮像画像を取得することを特徴とするものである。
【００３２】
また、本発明にかかる映像表示方法において、撮像画像には音声情報も含まれることを特徴とするものである。
【００３３】
また、本発明にかかる映像表示プログラムは、少なくとも１つの通信装置から撮像画像を取得し、該取得した撮像画像を表示する映像表示装置において実行する映像表示プログラムであって、撮像画像の取得を容認するか否かを判断する画像取得容認可否判断処理と、画像取得容認可否判断処理により撮像画像の取得を容認すると判断した際に、通信装置から撮像画像を取得する撮像画像取得処理と、撮像画像取得処理により取得した撮像画像を映像表示装置の具備する表示部に表示する撮像画像表示処理と、を、映像表示装置に実行させることを特徴とするものである。
【００３４】
また、本発明にかかる映像表示プログラムは、撮像画像を取得する通信装置を選択する撮像画像選択処理を、映像表示装置に実行させ、撮像画像取得処理は、撮像画像選択処理により選択された通信装置から撮像画像を取得することを特徴とするものである。
【００３５】
また、本発明にかかる映像表示プログラムにおいて、画像取得容認可否判断処理は、映像表示装置に入力された認証情報が、撮像画像の取得を容認すると判断するための認証情報と、一致すると判断した場合に、撮像画像の取得を容認することを特徴とするものである。
【００３６】
また、本発明にかかる映像表示プログラムは、撮像画像表示処理により表示部に表示した撮像画像を、映像表示装置の具備する記憶部に記録する撮像画像記録処理と、撮像画像記録処理により記憶部に記録した撮像画像を、映像表示装置の具備する表示部に表示する記録画像表示処理と、撮像画像記録処理により記憶部に記録した撮像画像の表示部への表示を容認するか否かを判断する撮像画像表示容認可否判断処理と、を、映像表示装置に実行させ、記録画像表示処理は、撮像画像表示容認可否判断処理により撮像画像の表示を容認すると判断した際に、撮像画像を表示部に表示することを特徴とするものである。
【００３７】
また、本発明にかかる映像表示プログラムは、画像取得容認可否判断処理により撮像画像の取得を容認すると判断する容認回数と、撮像画像表示容認可否判断処理により撮像画像の表示を容認すると判断する容認回数と、の少なくとも１つの容認回数を制限する容認回数制限処理を、映像表示装置に実行させることを特徴とするものである。
【００３８】
また、本発明にかかる映像表示プログラムにおいて、通信装置は、エンコーダであり、撮像画像選択処理は、エンコーダのＩＰアドレスを選択することで、該選択したＩＰアドレスのエンコーダから撮像画像を取得することを特徴とするものである。
【００３９】
また、本発明にかかる映像表示プログラムにおいて、通信装置は、エンコーダと接続されたマルチキャストルータであり、撮像画像選択処理は、エンコーダのＩＰアドレスを選択することで、マルチキャストルータにＪＯＩＮメッセージを送信し、該選択したＩＰアドレスのエンコーダから撮像画像を取得することを特徴とするものである。
【００４０】
また、本発明にかかる映像表示プログラムにおいて、撮像画像には音声情報も含まれることを特徴とするものである。
【発明の効果】
【００４１】
本発明によれば、撮像画像の取得を容認すると判断した際に、撮像画像を取得し、該取得した撮像画像を表示することで、撮像画像を効率良く取得し、該取得した撮像画像を表示することが可能となる。
【発明を実施するための最良の形態】
【００４２】
まず、図１を参照しながら、本実施形態における映像表示システムの特徴について説明する。
【００４３】
本実施形態における映像表示システムは、画像を撮像し、撮像画像を形成する少なくとも１つの撮像装置（１０、２０）と、撮像装置（１０、２０）において形成した撮像画像を表示する少なくとも１つの映像表示装置（４０）と、を有して構成される映像表示システムである。そして、映像表示装置（４０）は、撮像画像の取得を容認するか否かを判断し、撮像画像の取得を容認すると判断した際に、撮像装置（１０、２０）から撮像画像を取得し、その取得した撮像画像を映像表示装置（４０）の具備する表示部上に表示する。
【００４４】
これにより、効率良く撮像画像を取得し、該取得した撮像画像を映像表示装置（４０）の具備する表示部上で表示することが可能となる。また、撮像画像の取得が容認された映像表示装置（４０）のみが撮像装置（１０、２０）において撮像した撮像画像を取得することが可能となるため、撮像装置（１０、２０）において撮像した撮像画像を取得することが可能となる映像表示装置（４０）を限定することが可能となる。以下、添付図面を参照しながら、本実施形態における映像表示システムについて説明する。
【００４５】
（第１の実施形態）
まず、図１を参照しながら、本実施形態の映像表示システムのシステム構成について説明する。
【００４６】
本実施形態における映像表示システムは、カメラ（１０）と、エンコーダ（２０）と、視聴者端末（４０）と、を有して構成される。
【００４７】
カメラ（１０）は、エンコーダ（２０）に接続されている。また、エンコーダ（２０）と、視聴者端末（４０）と、はネットワーク（３０）を介して接続されている。
【００４８】
（カメラ１０）
カメラ（１０）は、特定領域に設置し、該設置した特定領域の画像を撮影するものである。例えば、野球場やサッカー場等にカメラ（１０）を設置し、該設置したカメラ（１０）を用いて選手の画像を撮像することになる。
【００４９】
（エンコーダ２０）
エンコーダ（２０）は、カメラ（１０）において撮像した撮像画像に対し、ＭＰＥＧ−２符号化方式などの符号化処理を施し、該符号化処理を施した画像信号をネットワーク（３０）を介して視聴者端末（４０）に伝送するものである。これにより、エンコーダ（２０）は、ネットワーク（３０）に対してＥｔｈｅｒパケットを送出することになる。
【００５０】
（視聴者端末４０）
視聴者端末（４０）は、カメラ（１０）にて撮像した撮像画像を閲覧表示する情報処理装置である。視聴者端末（４０）は、視聴者端末（４０）の具備する記憶部に格納されている動画再生プログラムを起動させ、該起動させた動画再生プログラムをもとに、ネットワーク（３０）を介してエンコーダ（２０）から画像信号を取得し、該取得した画像信号に対し、ＭＰＥＧ−２復号化方式などの復号化処理を施し、該復号化処理を施した画像信号を視聴者端末（４０）の具備する表示部上に表示することになる。
【００５１】
また、視聴者端末（４０）は、視聴者端末（４０）の具備する記憶部に格納されている動画蓄積プログラムを起動させ、該起動させた動画蓄積プログラムをもとに、視聴者が所望する動画像を、視聴者端末（４０）の具備するハードディスクなどの記録媒体に蓄積することになる。なお、動画蓄積プログラムは、動画再生プログラムと共に実行されることになる。なお、動画蓄積プログラムにより記録媒体に蓄積した動画像は、視聴者端末（４０）の具備する操作部上からの所定の操作により、記録媒体から読み出し、該読み出した動画像を、視聴者端末（４０）の具備する表示部上で再生することも可能である。
【００５２】
また、視聴者端末（４０）は、視聴者端末（４０）の具備する記憶部に格納されている静止画蓄積プログラムを起動させ、該起動させた静止画蓄積プログラムをもとに、視聴者が所望する静止画を、視聴者端末（４０）の具備するハードディスクなどの記録媒体に蓄積する。なお、静止画蓄積プログラムは、動画再生プログラムと共に実行されることになる。なお、静止画蓄積プログラムにより記録媒体に蓄積した静止画は、視聴者端末（４０）の具備する操作部上からの所定の操作により、記録媒体から読み出し、該読み出した静止画を、視聴者端末（４０）の具備する表示部上に表示することも可能である。
【００５３】
なお、視聴者端末（４０）は、動画再生プログラムを起動させ、カメラ（１０）において撮像した撮像画像を閲覧する際に、その撮像画像の閲覧を容認するか否かを判断するための認証処理を行うことになる。これにより、撮像画像の閲覧が容認された視聴者端末（４０）のみがカメラ（１０）において撮像した撮像画像を表示することが可能となる。
【００５４】
また、視聴者端末（４０）は、動作蓄積プログラムにより視聴者端末（４０）の具備する記録媒体に蓄積した動画像、または、静止画蓄積プログラムにより視聴者端末（４０）の具備する記録媒体に蓄積した静止画を、視聴者端末（４０）の具備する表示部上に表示する際にも、その動画像、静止画の閲覧を容認するための認証処理を行うことになる。これにより、視聴者端末（４０）の具備する記録媒体に記録した動画像、あるいは、静止画の閲覧を制限することが可能となる。なお、視聴者端末（４０）は、エンコーダ（２０）で符号化された信号を復号化することが可能なプログラムを搭載した装置であればあらゆる映像表示装置を適用することは可能である。
【００５５】
（映像表示システムにおける処理動作）
次に、図２を参照しながら、本実施形態における映像表示システムにおける処理動作について説明する。
【００５６】
なお、本実施形態における映像表示システムを構成するカメラ（１０）は、カメラ（１０）において撮像した撮像画像をエンコーダ（２０）に送信することになる（ステップＡ１）。
【００５７】
また、エンコーダ（２０）は、ネットワーク（３０）に接続されている視聴者端末（４０）に対し、ＡＲＰ要求パケットを送信することになる（ステップＡ２）。この場合、エンコーダ（２０）は、ＡＲＰ要求パケットの中に、送信元となるエンコーダ（２０）のＭＡＣアドレスと、ＩＰアドレスと、を付与し、該付与したＡＲＰ要求パケットをネットワーク（３０）に接続された視聴者端末（４０）に対して送信することになる。
【００５８】
なお、ＡＲＰ要求パケットの送信方法は、特に限定するものではないが、エンコーダ（２０）がネットワーク（３０）に接続されている全ての視聴者端末（４０）に対してＡＲＰ要求パケットを送信するように、ＡＲＰ要求パケットをブロードキャストすることが好ましい。
【００５９】
視聴者端末（４０）は、ネットワーク（３０）を経由してＡＲＰ要求パケットを受信した際に、該受信したＡＲＰ要求パケットを解析し、ＡＲＰ要求パケットを送信した送信元のＩＰアドレスを取得することになる（ステップＡ３）。これにより、視聴者端末（４０）は、エンコーダ（２０）のＩＰアドレスを取得することが可能となる。
【００６０】
次に、視聴者端末（４０）は、ＡＲＰ要求先のエンコーダ（２０）に対し、ＡＲＰ応答パケットを送信することになる（ステップＡ４）。この場合、視聴者端末（４０）は、ＡＲＰ応答パケットの中に、送信元となる視聴者端末（４０）のＭＡＣアドレスと、ＩＰアドレスと、を付与し、該付与したＡＲＰ応答パケットを、ネットワーク（３０）に接続されたエンコーダ（２０）に対して送信することになる。これにより、視聴者端末（４０）は、エンコーダ（２０）に対して視聴者端末（４０）のＭＡＣアドレスを通知することになる。
【００６１】
エンコーダ（２０）は、ネットワーク（３０）を介してＡＲＰ応答パケットを受信した際に、該受信したＡＲＰ応答パケットを解析し、送信元となる視聴者端末（４０）のＭＡＣアドレスを取得することになる。これにより、エンコーダ（２０）は、ＡＲＰ応答パケットから取得した視聴者端末（４０）のＭＡＣアドレスをもとに、視聴者端末（４０）に対してカメラ（１０）にて撮像した撮像画像の送信（ストリーム送信）を開始することになる（ステップＡ５）。
【００６２】
なお、エンコーダ（２０）は、ネットワーク（３０）を介して視聴者端末（４０）にストリーム送信を行う際には、カメラ（１０）において撮像した撮像画像に対し、ＭＰＥＧ−２符号化方式などの符号化処理を施し、該符号化処理を施した画像信号をネットワーク（３０）を介して視聴者端末（４０）に対して送信することになる。
【００６３】
次に、利用者は、視聴者端末（４０）の具備する操作部上から所定の操作を行い、視聴者端末（４０）の具備する記憶部に格納されている動画再生プログラムを起動させ、該起動させた動画再生プログラムをもとに、特定領域にて撮像された撮像画像の閲覧処理を視聴者端末（４０）において実行することになる（ステップＡ６）。
【００６４】
まず、視聴者端末（４０）は、動画再生プログラムを起動させた際に、該起動させた動画再生プログラムをもとに、特定領域にて撮像された撮像画像の閲覧を容認するか否かを判断するための認証処理を行うことになる（ステップＡ７）。
【００６５】
このため、視聴者端末（４０）は、撮像画像の閲覧を容認するか否かを判断するための認証情報の入力要求を行い、視聴者端末（４０）に認証情報を入力させることになる。
【００６６】
視聴者端末（４０）は、上記の入力要求により、視聴者端末（４０）に認証情報が入力されたと判断した際に、該入力された認証情報が、予め動画再生プログラムに決定されている認証情報と一致するか否かを判断する。
【００６７】
視聴者端末（４０）は、視聴者端末（４０）に入力された認証情報が、予め動画再生プログラムに決定されている認証情報と一致すると判断した場合は、特定領域にて撮像した撮像画像の閲覧を容認することになる。
【００６８】
なお、視聴者端末（４０）に入力された認証情報が、予め動画再生プログラムに決定されている認証情報と一致しないと判断した場合には、特定領域にて撮像した撮像画像の閲覧を容認せず、視聴者端末（４０）は、撮像画像の閲覧処理を終了することになる。なお、本実施形態における認証処理に適用可能な認証情報は特に限定せず、あらゆる認証情報を適用することは可能である。例えば、認証情報を設定したカードキーや、ライセンスキーなどが適用可能である。また、視聴者端末（４０）の具備する操作部を用いて認証情報を入力するように構築することも可能である。
【００６９】
次に、撮像画像の閲覧を容認した視聴者端末（４０）は、エンコーダのＩＰアドレスを視聴者端末（４０）の具備する表示部上に表示させ、ＩＰアドレスの選択要求を行うことになる。これにより、視聴者は、視聴者端末（４０）の具備する表示部に表示されたＩＰアドレスの中から視聴者の所望するＩＰアドレスを選択することになる（ステップＡ８）。
【００７０】
視聴者端末（４０）は、視聴者端末（４０）の具備する表示部上に表示させたＩＰアドレスの中から任意のＩＰアドレスが選択されたと判断した際に、その選択されたＩＰアドレスのエンコーダの画像信号を視聴者端末（４０）の具備する表示部上に表示することになる（ステップＡ９）。
【００７１】
なお、視聴者端末（４０）は、エンコーダ（２０）から受信した画像信号に対し、ＭＰＥＧ−２復号化方式などの復号化処理を施し、該復号化処理を施した画像信号を視聴者端末（４０）の具備する表示部上に表示することになる。これにより、視聴者は、視聴者端末（４０）の具備する表示部上において、カメラ（１０）において撮像した撮像画像を閲覧することになる。
【００７２】
なお、視聴者は、視聴者端末（４０）の具備する操作部を用いて、視聴者端末（４０）の具備する記憶部に格納されている動画再生プログラムを起動させ、カメラ（１０）で撮像した撮像画像を視聴者端末（４０）の具備する表示部上に表示させている際中に、視聴者端末（４０）の具備する操作部を用いて、視聴者端末（４０）の具備する記憶部に格納されている動画蓄積プログラムを起動させ、該起動させた動画蓄積プログラムをもとに、視聴者が所望する動画像を視聴者端末（４０）の具備する記録媒体に蓄積することも可能である。
【００７３】
これにより、視聴者は、視聴者端末（４０）において動画再生プログラムを起動している際中に、動画蓄積プログラムを起動させ、動画像を視聴者端末（４０）の具備する記録媒体に蓄積することが可能となる。
【００７４】
なお、動画蓄積プログラムをもとに、視聴者端末（４０）の具備する記録媒体に蓄積した動画像は、視聴者端末（４０）の具備する操作部上からの所定の操作により、記録媒体から読み出し、視聴者端末（４０）の具備する表示部上に表示することも可能である。この場合、記録媒体に蓄積した動画像の閲覧を容認するための認証処理を行うことも可能である。これにより、視聴者端末（４０）の具備する記録媒体に蓄積した動画像を閲覧する際に制限をかけることが可能となる。なお、この動画像の閲覧に際し、この閲覧を認容するための認容回数を設定し、該設定した認容回数だけ、視聴者端末（４０）の具備する表示部上で動画像を表示させて閲覧するように構築することも可能である。
【００７５】
また、視聴者は、視聴者端末（４０）の具備する操作部を用いて、視聴者端末（４０）の具備する動画再生プログラムを起動させ、カメラ（１０）で撮像した撮像画像を視聴者端末（４０）の具備する表示部上に表示させている際中に、視聴者端末（４０）の具備する操作部を用いて、視聴者端末（４０）の具備する記憶部に格納されている静止画蓄積プログラムを起動させ、該起動させた静止画蓄積プログラムをもとに、視聴者が所望する静止画を該視聴者端末（４０）の具備する記録媒体に蓄積することも可能である。
【００７６】
これにより、視聴者は、視聴者端末（４０）において動画再生プログラムを起動している際中に、静止画蓄積プログラムを起動させ、静止画を視聴者端末（４０）の具備する記録媒体に蓄積することが可能となる。
【００７７】
なお、静止画蓄積プログラムをもとに、視聴者端末（４０）の具備する記録媒体に蓄積した静止画は、視聴者端末（４０）の具備する操作部上からの所定の操作により、記録媒体から読み出し、視聴者端末（４０）の具備する表示部上に表示することも可能である。この場合、記録媒体に蓄積した静止画の閲覧を容認するための認証処理を行うことも可能である。これにより、視聴者端末（４０）の具備する記録媒体に蓄積した静止画を閲覧する際に制限をかけることが可能となる。なお、この静止画の閲覧に際し、この閲覧を認容するための認容回数を設定し、該設定した認容回数だけ、視聴者端末（４０）の具備する表示部上で静止画を表示させて閲覧するように構築することも可能である。
【００７８】
なお、上記の動画再生プログラムを終了させるには、視聴者が視聴者端末（４０）の具備する操作部から所定の操作を行い、ストリーム送信の終了要求をエンコーダ（２０）に送信し、視聴者端末（４０）における撮像画像の閲覧を終了させることになる（ステップＡ１０）。
【００７９】
このように、本実施形態における映像表示システムは、視聴者端末装置（４０）において動画再生プログラムを起動させ、該起動させた動画再生プログラムをもとに、カメラ（１０）において撮像した撮像画像の取得を容認するか否かを判断し、撮像画像の取得を容認すると判断した際に、カメラ（１０）において撮像した撮像画像をエンコーダ（２０）から取得し、そのエンコーダ（２０）から取得した撮像画像を視聴者端末装置（４０）の具備する表示部上に表示することになる。これにより、視聴者端末（４０）は、カメラ（１０）において撮像した撮像画像を、エンコーダ（２０）から効率良く取得し、該取得した撮像画像を、視聴者端末装置（４０）の具備する表示部上に表示することが可能となる。
【００８０】
また、本実施形態における映像表示システムは、特定領域にて撮像された撮像画像の閲覧を容認するか否かを判断するための認証処理を視聴者端末（４０）において実行し、撮像画像の取得が容認された視聴者端末（４０）のみがカメラ（１０）において撮像した撮像画像を取得することが可能となるため、カメラ（１０）において撮像した撮像画像を取得することが可能となる視聴者端末（４０）を限定することが可能となる。
【００８１】
（第２の実施形態）
次に、第２の実施形態について説明する。
第２の実施形態における映像表示システムは、図３に示すように、ネットワーク（３０）上にマルチキャストルータ（３１、３２−１〜ｎ）を設置し、該設置したマルチキャストルータ（３１、３２−１〜ｎ）を経由してカメラ（１０）にて撮像した撮像画像を視聴者端末（４０−１〜ｎ）にて閲覧することを特徴とするものである。以下、図３、図４を参照しながら、第２の実施形態における映像表示システムについて詳細に説明する。
【００８２】
まず、図３を参照しながら、第２の実施形態における映像表示システムのシステム構成について詳細に説明する。
【００８３】
第２の実施形態における映像表示システムは、図３に示すように、カメラ（１０）と、エンコーダ（２０）と、ネットワーク（３０）上に設置されるマルチキャストルータ（３１、３２−１〜ｎ（ｎは、任意の整数））と、視聴者端末（４０−１〜ｎ（ｎは、任意の整数））と、を有して構成される。
【００８４】
なお、第２の実施形態における映像表示システムは、ｎ個（ｎは１以上の自然数）の視聴者端末（４０−１〜ｎ）が、ネットワーク（３０）に接続されているｎ個のマルチキャストルータ（３２−１〜ｎ）と１対１で接続されて構成される。
【００８５】
そして、カメラ（１０）にて撮像した撮像画像がエンコーダ（２０）、マルチキャストルータ（３１）、ネットワーク（３０）を介して、ｎ個のマルチキャストルータ（３２−１〜ｎ）に同時に送信されることになり、そのマルチキャストルータ（３２−１〜ｎ）に送信された撮像画像が、そのマルチキャストルータ（３２−１〜ｎ）と対で接続されている視聴者端末（４０−１〜ｎ）に送信されることになる。なお、この複数の視聴者端末（４０−１〜ｎ）に対する撮影画像の送信は、ＩＥＴＦ（Internet  Engineering  Task  Force）のＲＦＣ１１１２やＲＦＣ２２３６などにて定義されるマルチキャスト配信プロトコルを用いて行われることになる。以下、図４を参照しながら、第２の実施形態における映像表示システムにおける処理動作について説明する。
【００８６】
まず、第２の実施形態における映像表示システムを構成する視聴者端末（４０−１〜ｎ）は、マルチキャストルータ（３２−１〜ｎ）に対し、マルチキャストグループの登録を行うことになる（ステップＢ１）。これにより、視聴者端末（４０−１〜ｎ）は、エンコーダ（２０）のＩＰアドレスを取得することになる（ステップＢ２）。なお、マルチキャストグループの登録処理を行う際には、視聴者端末（４０−１〜ｎ）が動画再生プログラムを起動させ、該起動させた動画再生プログラムをもとに、マルチキャストグループの登録を行うことになる。
【００８７】
なお、マルチキャストグループの登録例としては、『地点１：カメラ（１０−１）：アドレス：２２４．１．１７．１』、『地点２：カメラ（１０−２）：アドレス：２２４．１．１７．２』などのように登録されることになる。
【００８８】
また、カメラ（１０）は、撮像した撮像画像をエンコーダ（２０）に送信する（ステップＢ３）。エンコーダ（２０）は、カメラ（１０）から受信した撮像画像に対し、ＭＰＥＧ−２符号化方式などの符号化処理を施し、該符号化処理を施した画像信号を、エンコーダ（２０）と接続されたマルチキャストルータ（３１）に送信する。マルチキャストルータ（３１）は、エンコーダ（２０）から画像信号を受信した際に、該受信した画像信号をネットワーク（３０）に接続されている他のマルチキャストルータ（３２−１〜ｎ）に対して送信することになる（ステップＢ４）。
【００８９】
次に、利用者は、視聴者端末（４０−１〜ｎ）の具備する操作部上から所定の操作を行い、視聴者端末（４０−１〜ｎ）の具備する記憶部に格納されている動画再生プログラムを起動させ、該起動させた動画再生プログラムをもとに、特定領域にて撮像された撮像画像の閲覧処理を視聴者端末（４０−１〜ｎ）において実行する（ステップＢ５）。
【００９０】
視聴者端末（４０−１〜ｎ）は、動画再生プログラムを起動させた際に、該起動させた動画再生プログラムをもとに、撮像画像の閲覧を容認するか否かを判断するための認証情報の入力要求を行い、視聴者端末（４０−１〜ｎ）に認証情報を入力させることになる（ステップＢ６）。
【００９１】
視聴者端末（４０−１〜ｎ）は、入力要求により、視聴者端末（４０−１〜ｎ）に認証情報が入力されたと判断した際に、該入力された認証情報が、予め動画再生プログラムに決定されている認証情報と一致するか否かを判断する。
【００９２】
視聴者端末（４０−１〜ｎ）は、視聴者端末（４０−１〜ｎ）に入力された認証情報が、予め動画再生プログラムに決定されている認証情報と一致すると判断した場合は、特定領域にて撮像した撮像画像の閲覧を容認することになる。
【００９３】
次に、撮像画像の閲覧を容認した視聴者端末（４０−１〜ｎ）は、マルチキャストグループの中からＩＰアドレスを選択し（ステップＢ７）、視聴者端末（４０−１〜ｎ）と対で接続されているマルチキャストルータ（３２−１〜ｎ）に対し、ＪＯＩＮメッセージを送信する（ステップＢ８）。
【００９４】
マルチキャストルータ（３２−１〜ｎ）は、視聴者端末（４０−１〜ｎ）からＪＯＩＮメッセージを受信した際に、該受信したＪＯＩＮメッセージをもとに、視聴者端末（４０−１〜ｎ）において選択されたＩＰアドレスのエンコーダ（２０）が送信した画像信号を視聴者端末（４０−１〜ｎ）に送信することになる（ステップＢ９）。
【００９５】
視聴者端末（４０−１〜ｎ）は、マルチキャストルータ（３２−１〜ｎ）から画像信号を受信した際に、該受信した画像信号に対して、ＭＰＥＧ−２復号化方式などの復号化処理を施し、該復号化処理を施した画像信号を視聴者端末（４０−１〜ｎ）の具備する表示部上に表示することになる（ステップＢ１０）。これにより、視聴者は、視聴者端末（４０−１〜ｎ）の具備する表示部上において、カメラ（１０）において撮像した撮像画像を閲覧することになる。
【００９６】
なお、カメラ（１０）において撮像した撮像画像の閲覧を終了する際には、視聴者端末（４０−１〜ｎ）の具備する操作部上から所定の操作を行うことで、ＬＥＡＶＥメッセージをマルチキャストルータ（３２−１〜ｎ）に送信することになる（ステップＢ１１）。
【００９７】
マルチキャストルータ（３２−１〜ｎ）は、視聴者端末（４０−１〜ｎ）からＬＥＡＶＥメッセージを受信した際に、画像信号の送信を終了することになる（ステップＢ１２）。
【００９８】
このように、第２の実施形態における映像表示システムは、ネットワーク（３０）に対してマルチキャストルータ（３１、３２−１〜ｎ）を設置し、カメラ（１０）において撮像した撮像画像を、エンコーダ（２０）、マルチキャストルータ（３１）、ネットワーク（３０）を経由して、マルチキャストルータ（３２−１〜ｎ）に対して送信しておくことで、視聴者端末（４０−１〜ｎ）は、その視聴者端末（４０−１〜ｎ）と対に接続されているマルチキャストルータ（３２−１〜ｎ）から視聴者の所望する画像信号を取得することが可能となる。これにより、視聴者端末（４０−１〜ｎ）がエンコーダ（２０）から画像信号を取得する必要がなくなるため、効率良く画像信号を取得することが可能となる。
【００９９】
また、カメラ（１０）にて撮像した画像信号を、エンコーダ（２０）、マルチキャストルータ（３１）、ネットワーク（３０）を経由して、ネットワーク（３０）上に設置されたマルチキャストルータ（３２−１〜ｎ）に送信しておくことで、視聴者端末（４０−１〜ｎ）を増設する場合には、その増設する視聴者端末（４０−１〜ｎ）と対となるマルチキャストルータ（３２−１〜ｎ）をネットワーク（３０）上に新たに設置することで、そのネットワーク（３０）上に新たに設置したマルチキャストルータ（３２−１〜ｎ）に対しても画像信号が送信されることになり、その新たに設置したマルチキャストルータ（３２−１〜ｎ）と対となる視聴者端末（４０−１〜ｎ）においても画像信号を取得することが可能となる。このため、ネットワーク（３０）上にマルチキャストルータ（３２−１〜ｎ）を増設することで、既存のシステムを変更することなく、視聴者端末（４０−１〜ｎ）の数を拡大させることが可能となる。
【０１００】
（第３の実施形態）
次に、第３の実施形態について説明する。
第３の実施形態における映像表示システムは、複数のカメラ（１０−１〜ｎ）を、エンコーダ（２０−１〜ｎ）、マルチキャストルータ（３１−１〜ｎ）を介し、ネットワーク（３０）上に接続したことを特徴とするものである。以下、図５を参照しながら、第３の実施形態における映像表示システムについて説明する。
【０１０１】
まず、図５を参照しながら、第３の実施形態における映像表示システムのシステム構成について説明する。
【０１０２】
第３の実施形態における映像表示システムは、図５に示すように、カメラ（１０−１〜ｎ）と、エンコーダ（２０−１〜ｎ）と、ネットワーク（３０）上に設置されるルータまたはマルチマルチキャストルータ（３１−１〜ｎ、３２）と、視聴者端末（４０）と、を有して構成される。なお、本実施形態においては、図５に示すように、マルチキャストルータを適用することとしたが、１対１の接続の場合には、ルータを適用することも可能である。
【０１０３】
なお、第３の実施形態における映像表示システムは、ｎ個（ｎは、１以上の自然数）のカメラ（１０−１〜ｎ）がそれぞれ対のエンコーダ（２０−１〜ｎ）と接続され、そのエンコーダ（２０−１〜ｎ）がそれぞれ対のマルチキャストルータ（３１−１〜ｎ）と接続されて構成される。
【０１０４】
そして、カメラ（１０−１〜ｎ）において撮像した複数の異なる撮像画像が、そのカメラ（１０−１〜ｎ）と１対１で接続されているエンコーダ（２０−１〜ｎ）、そのエンコーダ（２０−１〜ｎ）と１対１で接続されているマルチキャストルータ（３１−１〜ｎ）、を経由して、ネットワーク（３０）上に送信されることになる。
【０１０５】
これにより、ネットワーク（３０）上に送信された複数の画像信号が、マルチキャストルータ（３２）に送信され、そのマルチキャストルータ（３２）に送信された複数の撮像画像を、そのマルチキャストルータ（３２）と接続されている視聴者端末（４０）が取得することになる。なお、視聴者端末（４０）に対する撮影画像の送信は、ＩＥＴＦ（Internet  Engineering  Task  Force）のＲＦＣ１１１２やＲＦＣ２２３６などにて定義されるマルチキャスト配信プロトコルを用いて行われることになる。以下、図６を参照しながら、第３の実施形態における映像表示システムにおける処理動作について説明する。
【０１０６】
まず、第３の実施形態における映像表示システムを構成する視聴者端末（４０）は、マルチキャストルータ（３２）に対し、マルチキャストグループの登録を行うことになる（ステップＣ１）。これにより、視聴者端末（４０）は、エンコーダ（２０−１〜ｎ）のＩＰアドレスを取得することになる（ステップＣ２）。
【０１０７】
また、カメラ（１０−１〜ｎ）は、撮像した撮像画像をエンコーダ（２０−１〜ｎ）に送信することになる（ステップＣ３）。エンコーダ（２０−１〜ｎ）は、カメラ（１０−１〜ｎ）から受信した撮像画像に対し、ＭＰＥＧ−２符号化方式などの符号化処理を施し、該符号化処理を施した画像信号を、エンコーダ（２０−１〜ｎ）と接続されたマルチキャストルータ（３１−１〜ｎ）に送信する。マルチキャストルータ（３１−１〜ｎ）は、エンコーダ（２０−１〜ｎ）から画像信号を受信した際に、該受信した画像信号をネットワーク（３０）に対して送信することになる。これにより、視聴者端末（４０）と接続されたマルチキャストルータ（３２）は、カメラ（１０−１〜ｎ）で撮像された複数の撮像画像を、エンコーダ（２０−１〜ｎ）、マルチキャストルータ（３１−１〜ｎ）、を経由して取得することが可能となる（ステップＣ４）。
【０１０８】
次に、利用者は、視聴者端末（４０）の具備する操作部上から所定の操作を行い、視聴者端末（４０）の具備する記憶部に格納されている動画再生プログラムを起動させ、該起動させた動画再生プログラムをもとに、特定領域にて撮像された撮像画像の閲覧処理を視聴者端末（４０）において実行する（ステップＣ５）。
【０１０９】
視聴者端末（４０）は、動画再生プログラムを起動させた際に、該起動させた動画再生プログラムをもとに、撮像画像の閲覧を容認するか否かを判断するための認証情報の入力要求を行い、視聴者端末（４０）に認証情報を入力させることになる（ステップＣ６）。
【０１１０】
視聴者端末（４０）は、視聴者端末（４０）に入力された認証情報が、予め動画再生プログラムに決定されている認証情報と一致すると判定した場合は、特定領域にて撮像した撮像画像の閲覧を容認することになる。
【０１１１】
撮像画像の閲覧を容認した視聴者端末（４０）は、マルチキャストグループの中からＩＰアドレスを選択し（ステップＣ７）、視聴者端末（４０）と対で接続されているマルチキャストルータ（３２）に対し、ＪＯＩＮメッセージを送信する（ステップＣ８）。
【０１１２】
マルチキャストルータ（３２）は、視聴者端末（４０）からＪＯＩＮメッセージを受信した際に、該受信したＪＯＩＮメッセージをもとに、視聴者端末（４０）において選択されたＩＰアドレスのエンコーダが送信した画像信号を視聴者端末（４０）に送信する（ステップＣ９）。
【０１１３】
視聴者端末（４０）は、マルチキャストルータ（３２）から画像信号を受信した際に、該受信した画像信号に対して、ＭＰＥＧ−２復号化方式などの復号化処理を施し、該復号化処理を施した画像信号を視聴者端末（４０）の具備する表示部上に表示することになる（ステップＣ１０）。これにより、視聴者は、視聴者端末（４０）の具備する表示部上において、カメラ（１０−１〜ｎ）において撮像した撮像画像を閲覧することになる。
【０１１４】
このように、第３の実施形態における映像表示システムは、ｎ個（ｎは、１以上の自然数）のカメラ（１０−１〜ｎ）がそれぞれ対のエンコーダ（２０−１〜ｎ）に接続されることで、カメラ（１０−１〜ｎ）において撮像した複数の異なる撮像画像を、そのカメラ（１０−１〜ｎ）とそれぞれ対となるエンコーダ（２０−１〜ｎ）にてパケット化し、該パケット化した画像信号を、そのエンコーダ（２０−１〜ｎ）に接続された複数のマルチキャストルータ（３１−１〜ｎ）、ネットワーク（３０）、を経由してマルチキャストルータ（３２）に出力することになる。これにより、視聴者端末（４０）は、ｎ個のカメラ（１０−１〜ｎ）において撮像された画像信号の中から選択した画像信号をマルチキャストルータ（３２）から取得し、該取得した画像信号を視聴者端末（４０）の具備する表示部上で表示することが可能となる。
【０１１５】
なお、視聴者端末（４０）は、ｎ個のカメラ（１０−１〜ｎ）において撮像された画像信号の中から視聴者端末（４０）において表示するｍ個（ｍは、自然数でｍ≦ｎ）を選択し、該選択したｍ個の画像信号を視聴者端末（４０）の具備する表示部上に表示する、もしくは、ｎ個の画像信号の中から１個を選択し、該選択した１個の画像信号を視聴者端末（４０）の具備する表示部上に表示することも可能である。
【０１１６】
この場合、視聴者端末（４０）は、図６に示すステップＣ７において、マルチキャストグループの中からｍ個、または１個のＩＰアドレスを選択し、視聴者端末（４０）と対で接続されているマルチキャストルータ（３２）に対し、ＪＯＩＮメッセージを送信することになる。これにより、マルチキャストルータ（３２）は、視聴者端末（４０）から受信したＪＯＩＮメッセージをもとに、視聴者端末（４０）において選択されたｍ個、または１個のＩＰアドレスのエンコーダが出力する画像信号を視聴者端末（４０）に送信することになる。
【０１１７】
これにより、視聴者端末（４０）は、複数のカメラ（１０−１〜ｎ）が撮像した複数の画像信号の中から選択したｍ個、または１個の画像信号を取得し、該取得したｍ個、または１個の画像信号を、視聴者端末（４０）の具備する表示部上で表示することが可能となる。なお、図７に、視聴者端末（４０）の表示部上に表示する画像信号の表示例を示す。なお、図７（ａ）は、画像信号ｍ＝４の場合（ＩＰアドレスを４個選択した場合）の表示例を示し、図７（ｂ）は、画像信号ｍ＝１の場合（ＩＰアドレスを１個選択した場合）の表示例を示す。
【０１１８】
なお、ＩＰアドレスの選択は、ｎ個のＩＰアドレスの中から視聴者が所望するｍ個のＩＰアドレスを選択することで、該選択されたＩＰアドレスに該当するエンコーダの出力画像信号を取得することになる。
【０１１９】
このように、第３の実施形態における映像表示システムは、ネットワーク（３０）に対してマルチキャストルータ（３１−１〜ｎ、３２）を設置し、複数のカメラ（１０−１〜ｎ）において撮像した撮像画像を、エンコーダ（２０−１〜ｎ）、マルチキャストルータ（３１−１〜ｎ）、ネットワーク（３０）を経由して、マルチキャストルータ（３２）に対して送信しておくことで、視聴者端末（４０）は、その視聴者端末（４０）と対に接続されているマルチキャストルータ（３２）から視聴者の所望する複数、または１つの画像信号を選択して取得することが可能となる。これにより、視聴者端末（４０）がエンコーダ（２０）から画像信号を取得する必要がなくなるため、効率良く画像信号を取得することが可能となる。また、複数の画像信号の中から視聴者の所望する画像信号を選択して閲覧することが可能となる。なお、第３の実施形態の表示システムを構成する視聴者端末（４０）は、第１の実施形態における視聴者端末（４０）と同様に、視聴者端末（４０）を用いて動画蓄積プログラム、または、静止画蓄積プログラムを起動させ、動画像、または、静止画を、視聴者端末（４０）の具備する記録媒体に蓄積するように構築することも可能である。
【０１２０】
なお、第３の実施形態における映像表示システムにおいて、第２の実施形態における映像表示システムを組み合わせ、図８に示すように、複数台のカメラ（１０−１〜ｎ）の画像信号を、複数台の視聴者端末（４０−１〜ｎ）の具備する表示部上にて同時に表示したり、あるいは、視聴者が所望する任意のカメラ（１０−１〜ｎ）の画像信号を視聴者端末（４０−１〜ｎ）の具備する表示部上で表示したりすることも可能である。
【０１２１】
（第４の実施形態）
次に、第４の実施形態について説明する。
第４の実施形態における映像表示システムは、図９に示すように、複数のカメラ（１０―１〜ｎ）で撮像した撮像画像を多重化して１つの画像信号としてエンコーダ（２０）に送信する映像信号多重化装置（９０）を設置したことを特徴とするものである。これにより、複数のカメラ（１０−１〜ｎ）にて撮像した撮像画像を多重化してエンコーダ（２０）、ネットワーク（３０）を介して視聴者端末（４０）に送信することが可能となる。以下、図９、図１０を参照しながら、第４の実施形態における映像表示システムについて説明する。
【０１２２】
まず、図９を参照しながら、第４の実施形態における映像表示システムのシステム構成について説明する。
【０１２３】
第４の実施形態における映像表示システムは、ｎ個（ｎは、１以上の自然数）のカメラ（１０−１〜ｎ）がそれぞれ映像信号多重化装置（９０）に接続され、ｎ個のカメラ（１０−１〜ｎ）において撮像した撮像画像を、映像信号多重化装置（９０）において多重化し、該多重化した画像信号をエンコーダ（２０）に送信することになる。そして、エンコーダ（２０）は、多重化した画像信号をネットワーク（３０）を介して視聴者端末（４０）に送信し、視聴者端末（４０）の具備する表示部上で表示することになる。
【０１２４】
次に、図１０を参照しながら、第４の実施形態における映像表示システムにおける処理動作について説明する。
【０１２５】
まず、本実施形態における映像表示システムを構成する複数のカメラ（１０−１〜ｎ）は、カメラ（１０−１〜ｎ）において撮像した撮像画像を映像信号多重化装置（９０）に送信する（ステップＤ１）。
【０１２６】
映像信号多重化装置（９０）は、複数のカメラ（１０−１〜ｎ）にて撮像された撮像画像を多重化し、１つの多重化した画像信号をエンコーダ（２０）に送信することになる（ステップＤ２）。なお、以下のステップＤ３〜ステップＤ１１の処理は、図２に示す第１の実施形態におけるステップＡ２〜ステップＡ１０までの処理動作と同様な処理を行うことになる。
【０１２７】
このように、第４の実施形態における映像表示システムは、カメラ（１０−１〜ｎ）で撮像した複数の異なる画像信号を映像信号多重化装置（９０）において１つの画像信号に多重化し、該多重化した画像信号を１つのエンコーダ（２０）にてパケット化し、該パケット化した画像信号をネットワーク（３０）を介して視聴者端末（４０）に送信することになる。これにより、複数のカメラ（１０−１〜ｎ）にて撮像した撮像画像を多重化し、該多重化した画像信号を、１つのエンコーダ（２０）を用いてネットワーク（３０）を経由して視聴者端末（４０）に送信することが可能となる。
【０１２８】
なお、第４の実施形態における映像表示システムにおいて視聴者端末（４０）の具備する表示部上に表示される画像信号の表示例は、カメラ（１０−１〜ｎ）の台数がｎ＝４の場合は、図７（ａ）に示すような表示例となる。
【０１２９】
なお、映像信号多重化装置（９０）は、その映像信号多重化装置（９０）と接続される複数のカメラ（１０−１〜ｎ）の中から多重化する画像信号の数を選択するように構築することも可能である。この場合、視聴者端末（４０）は、映像信号多重化装置（９０）に接続されている複数のカメラ（１０−１〜ｎ）の中から、視聴者端末（４０）の具備する表示部上に表示したいカメラ（１０−１〜ｎ）を決定し、該決定したカメラ（１０−１〜ｎ）の多重化要求を映像信号多重化装置（９０）に送信することになる。この場合、多重化したいカメラ（１０−１〜ｎ）を識別するための識別情報も送信することになる。
【０１３０】
映像信号多重化装置（９０）は、多重化要求を受信した際に、その多重化要求と共に受信した識別情報をもとに、視聴者端末（４０）において選択されたカメラ（１０−１〜ｎ）の画像信号のみを多重化し、該多重化した画像信号をエンコーダ（２０）に送信することになる。これにより、視聴者の所望するカメラ（１０−１〜ｎ）における画像信号のみを視聴者端末（４０）の具備する表示部上に表示させることが可能となる。
【０１３１】
また、視聴者端末（４０）は、映像信号多重化装置（９０）において多重化された複数のカメラ（１０−１〜ｎ）の中から１つのカメラ（１０−１〜ｎ）を選択し、該選択したカメラ（１０−１）の画像信号のみを視聴者端末（４０）の具備する表示部上に表示させるように構築することも可能である。
【０１３２】
例えば、映像信号多重化装置（９０）に接続されるカメラ（１０−１〜ｎ）の台数を４台（ｎ＝４）と仮定すると、視聴者端末（４０）の具備する表示部上には、映像信号多重化装置（９０）において多重化された図７（ａ）に示すような画像信号が表示されることになる。そして、視聴者が、視聴者端末（４０）の具備する操作部を用いて、図７（ａ）に示す４つの画像信号の中から１つの画像信号を選択することで、その選択された画像信号のみを表示するための表示要求を映像信号多重化装置（９０）に送信することになる。そして、映像信号多重化装置（９０）は、視聴者端末（４０）から表示要求を受信した際に、視聴者端末（４０）において選択された画像信号のみを表示するように多重化処理を行わず、その選択された画像信号をエンコーダ（２０）に送信することになる。これにより、視聴者端末（４０）の具備する表示部上には、図７（ｂ）に示すような１つの画像信号のみが表示されることになる。
【０１３３】
なお、第４の実施形態における映像表示システムに対し、第２の実施形態における映像表示システムを組み合わせ、図１１に示すように、複数台のカメラ（１０−１〜ｎ）の映像画像を映像信号多重化装置（９０）にて多重化した画像信号を、複数台の視聴者端末（４０−１〜ｎ）において同時に表示したり、第１の実施形態と同様に、動画像、または、静止画を視聴者端末（４０−１〜ｎ）の具備する記録媒体に蓄積したりするように構築することも可能である。ただし、ネットワーク（３０）上に送信される画像信号は、予め映像信号多重化装置（９０）において多重化することになるため、複数の視聴者端末（４０−１〜ｎ）の具備する表示部上に表示される画像信号が制限されることになる。
【０１３４】
なお、視聴者端末（４０−１〜ｎ）の具備する表示部上に表示される画像信号の制限は、視聴者端末（４０−１〜ｎ）の具備する操作部を用いて視聴者の所望する任意の画像信号を選択するように構築することでも解消することは可能である。
【０１３５】
また、映像信号多重化装置（９０）において、カメラ（１０−１〜ｎ）において撮像した撮像画像を多重化せず、各カメラ（１０−１〜ｎ）において撮像した映像信号を時系列的にエンコーダ（２０）に送信し、視聴者端末（４０）の具備する表示部上で１画像の巡回画面を行うように制御したり、複数のカメラ（１０−１〜ｎ）の撮像画像を多重化し、該多重化した画像信号を時系列的にエンコーダ（２０）に送信し、視聴者端末（４０）の具備する表示部上で複数表示の巡回画面を行うように制御したりすることでも解消することは可能である。
【０１３６】
（第５の実施形態）
次に、第５の実施形態について説明する。
第５の実施形態における映像表示システムは、図１２に示すように、カメラ（１０）において撮像した撮像画像と共に、音声装置（１００）において取得した音声情報をエンコーダ（２０）に送信し、ネットワーク（３０）を介して視聴者端末（４０）に対し、画像信号と共に音声信号を提供するようにしたことを特徴とするものである。これにより、視聴者端末（４０）において画像信号のみではなく、音声信号も取得することが可能となる。以下、図１２を参照しながら、第５の実施形態における映像表示システムについて説明する。
【０１３７】
第５の実施形態における映像表示システムは、図１２に示すように、第１の実施形態における映像表示システムにおいて、音声装置（１００）をエンコーダ（２０）に接続した構成である。
【０１３８】
このように、第５の実施形態における映像表示システムは、音声信号を集音する音声装置（１００）をエンコーダ（２０）に接続した構成とすることで、エンコーダ（２０）が画像信号と共に音声信号を多重化し、ネットワーク（３０）にパケット信号を送出することになる。
【０１３９】
なお、ネットワーク（３０）を経由して視聴者端末（４０）に送信されたパケット信号は、視聴者端末（４０）において起動されている動画再生プログラムをもとに、視聴者端末（４０）の具備するスピーカ等から音声を出力することになる。
【０１４０】
このように、第５の実施形態における映像表示システムは、音声情報を取得する音声装置（１００）をエンコーダ（２０）に接続し、カメラ（１０）にて撮像した撮像画像と、音声装置（１００）にて取得した音声情報と、を多重化し、該多重化した情報をネットワーク（３０）を介して視聴者端末（４０）に送信することで。視聴者端末（４０）の具備する表示部上で画像信号を表示すると共に、視聴者端末（４０）の具備するスピーカから音声信号を出力することになる。
【０１４１】
なお、視聴者端末（４０）が取得した音声信号は、第１の実施形態と同様に、視聴者端末（４０）の具備する記憶部に格納されている動画蓄積プログラムを起動させ、該起動させた動画蓄積プログラムをもとに、視聴者が所望する動画像と音声信号とを、視聴者端末（４０）の具備する記録媒体に蓄積することも可能である。なお、動画蓄積プログラムにより記録媒体に蓄積した動画像や音声信号は、視聴者端末（４０）の具備する操作部上からの所定の操作により、記録媒体から読み出し、該読み出した動画像や音声信号を、視聴者端末（４０）で再生することも可能である。
【０１４２】
また、第５の実施形態における映像表示システムは、カメラ（１０）と、音声装置（１００）と、を分離してエンコーダ（２０）に接続して構成したが、音声装置（１００）の機能をカメラ（１０）に搭載し、カメラ（１０）が音声情報と、撮像画像と、を取得し、エンコーダ（２０）に出力するように構築することも可能である。
【０１４３】
また、第５の実施形態における映像表示システムと、第２の実施形態における映像表示システムと、を組み合わせ、ｎ個の視聴者端末（４０−１〜ｎ）に同時に音声信号を送信するように構築することも可能である。
【０１４４】
また、第３の実施形態における映像表示システム、あるいは、第４の実施形態における映像表示システムにおいて、ｎ個のカメラ（１０−１〜ｎ）による構成を構築しているが、第５の実施形態における映像表示システムのシステム構成と組み合わせ、複数台の音声装置（１００−１〜ｎ）を配置するように構築することも可能である。
【０１４５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、上記各実施形態における映像表示システムを構成する一部分の構成を接続し、様々なシステム構成を構築することは可能である。
【０１４６】
また、上記各実施形態の映像表示システムにおける処理動作は、コンピュータプログラムにより実行することも可能であり、また、上記のプログラムは、光記録媒体、磁気記録媒体、光磁気記録媒体、または半導体等の記録媒体に記録し、その記録媒体からプログラムを情報処理装置に読み込ませることで、上述した処理動作を情報処理装置において実行させることも可能である。また、所定のネットワークを介して接続されている外部機器からプログラムを情報処理装置に読み込ませることで、上述した処理動作を情報処理装置において実行させることも可能である。
【産業上の利用可能性】
【０１４７】
本発明にかかる映像表示装置、映像表示システム、映像表示方法及び映像表示プログラムは、野球場やサッカー場などの特定領域の映像を提供する映像提供サービスに適用可能である。さらに、テレビ放送中継による映像聴取に留まっていたサービス分野において、認証処理による使用許諾を受けた視聴者が自由に撮像画像を取得することを可能とする。
【図面の簡単な説明】
【０１４８】
【図１】第１の実施形態における映像表示システムのシステム構成を示す図である。
【図２】第１の実施形態の映像表示システムにおける処理動作を示すシーケンスチャートである。
【図３】第２の実施形態における映像表示システムのシステム構成を示す図である。
【図４】第２の実施形態の映像表示システムにおける処理動作を示すシーケンスチャートである。
【図５】第３の実施形態における映像表示システムのシステム構成を示す図である。
【図６】第３の実施形態の映像表示システムにおける処理動作を示すシーケンスチャートである。
【図７】映像表示システムを構成する視聴者端末（４０）の具備する表示部上に表示される画像信号の表示例を示す図である。
【図８】第３の実施形態の映像表示システムを構成する一部分と、第２の実施形態の映像表示システムを構成する一部分と、を組み合わせた場合のシステム構成を示す図である。
【図９】第４の実施形態における映像表示システムのシステム構成を示す図である。
【図１０】第４の実施形態の映像表示システムにおける一連の処理動作を示すシーケンスチャートである。
【図１１】第４の実施形態の映像表示システムを構成する一部分と、第２の実施形態の映像表示システムを構成する一部分と、を組み合わせた場合のシステム構成を示す図である。
【図１２】第５の実施形態における映像表示システムのシステム構成を示す図である。
【符号の説明】
【０１４９】
１０−１〜ｎ    カメラ
２０−１〜ｎ    エンコーダ
３０    ネットワーク
４０−１〜ｎ    視聴者端末
３１−１〜ｎ    マルチキャストルータ
３２−１〜ｎ    マルチキャストルータ
９０    映像信号多重化装置
１００    音声装置
【図１】
2006345227.tif 000003
【図２】
2006345227.tif 000004
【図３】
2006345227.tif 000005
【図４】
2006345227.tif 000006
【図５】
2006345227.tif 000007
【図６】
2006345227.tif 000008
【図７】
2006345227.tif 000009
【図８】
2006345227.tif 000010
【図９】
2006345227.tif 000011
【図１０】
2006345227.tif 000012
【図１１】
2006345227.tif 000013
【図１２】
2006345227.tif 000014